(57)【特許請求の範囲】
【請求項１】
告知放送信号を伝送線路を介して受信する受信手段と、
前記受信手段にて受信された前記告知放送信号を、他の告知放送用受信機に無線送信する無線送信手段と、
他の告知放送用受信機から無線送信された前記告知放送信号を受信する無線受信手段と、
前記伝送線路の異常の有無を検出する検出手段と、
前記検出手段が前記伝送線路の異常を検出した場合に、前記無線送信手段にて前記伝送線路に異常がある旨を示す信号を他の告知放送用受信機に無線送信させ、
前記無線受信手段が他の告知放送用受信機から前記伝送線路に異常がある旨を示す信号を無線受信した場合に、前記受信手段にて受信された告知放送信号を、前記無線送信手段にて他の告知放送用受信機に無線送信させる制御手段と、
を備える告知放送用受信機。
【請求項２】
前記制御手段は、
前記受信手段が前記告知放送信号を受信した場合に、当該告知放送信号に緊急放送が含まれているか否かを判定し、含まれている場合には、当該告知放送信号を前記無線送信手段にて他の告知放送用受信機に無線送信させる、
請求項１に記載の告知放送用受信機。
【請求項３】
自己が属するグループに関する信号であるか否かを一意に識別するためのグループアドレスを特定するためのグループアドレス情報を格納する記憶手段を備え、
前記制御手段は、
前記検出手段が前記伝送線路の異常を検出した場合に、前記無線送信手段にて前記伝送線路に異常がある旨を示す信号に前記記憶手段に格納されている前記グループアドレス情報を付加して他の告知放送用受信機に無線送信させ、
前記無線受信手段が他の告知放送用受信機から前記伝送線路に異常がある旨を示す信号を無線受信した場合に、当該告知放送信号を受信できない旨を示す信号が自己の属するグループに関する信号であるか否かを、当該告知放送信号を受信できない旨を示す信号に付加されたグループアドレス情報と前記記憶手段に格納されている前記グループアドレス情報とに基づいて判定し、当該告知放送信号を受信できない旨を示す信号が自己の属するグループに関する信号である場合には、前記受信手段にて受信された告知放送信号を、前記無線送信手段にて他の告知放送用受信機に無線送信させる、
請求項１に記載の告知放送用受信機。
【請求項４】
前記制御手段は、
前記無線受信手段が他の告知放送用受信機から前記告知放送信号を無線受信した場合に、当該告知放送信号が自己の属するグループに関する信号であるか否かを、当該告知放送信号に付加された前記グループアドレス情報と前記記憶手段に格納されている前記グループアドレス情報とに基づいて判定し、当該告知放送信号が自己の属するグループに関する信号である場合には、当該告知放送信号に基づいて告知放送を行う、
請求項３に記載の告知放送用受信機。
【発明の詳細な説明】
【技術分野】
【０００１】
本発明は、告知放送を受信する告知放送用受信機に関する。
【背景技術】
【０００２】
センターから複数の住戸に対して各種の告知放送を行うための告知放送システムが普及している。この告知放送システムは、概略的に、センター側に配置したセンター装置と、各住戸内に設置した受信機とを、ＣＡＴＶ等の伝送線路を介して相互に接続して構成されている。そして、地域のイベント開催又はＦＭラジオ放送等の一般放送や、火災や地震等の災害が発生した時の緊急放送を行う際、センター装置は告知放送信号を伝送線路を介して送信し、この告知放送信号を受信機が受信して、告知放送をスピーカにて音声出力する（例えば、特許文献１参照）。
【先行技術文献】
【特許文献】
【０００３】
【特許文献１】特開平９−８７５３号公報
【発明の概要】
【発明が解決しようとする課題】
【０００４】
この告知放送システムにおける受信機は、伝送線路の断線などの伝送線路に異常があると、センター装置から告知放送信号を受信することができない。このような問題に対して、伝送線路に異常がある場合であっても受信機が告知放送信号を受信できるようにするためには、例えば、センター装置から告知放送信号を無線で送信し、当該送信された告知放送信号を受信機に受信させることが考えられる。また、センター装置と伝送線路にて接続された中継設備を所定エリア毎に設け、当該中継設備から告知放送信号を無線で送信し、当該送信された告知放送信号を受信機に受信させることが考えられる。
【０００５】
しかしながら、このような従来の告知放送システムにおける受信機は、上述したセンター装置や中継設備等から告知放送信号を送信することに関して改善の余地があった。例えば、センター装置から告知放送信号を無線送信する場合には無線用アンテナ設備を新たに設けなければならず、また中継設備から告知放送信号を無線送信する場合にも所定エリア毎に中継設備を設けなければならないので、設備コストが多大になるという問題があった。また、センター装置から告知放送信号を無線送信する場合、中継設備を所定エリア毎に設ける場合に比べて、山や高層建造物等による通信障害が生じやすいため、地域によっては受信機の告知放送信号の受信が困難になるという問題があった。
【０００６】
本発明は、上記に鑑みてなされたものであって、伝送線路に異常がある場合であっても告知放送信号を安定して受信することができ、且つ大規模な設備を必要としない、告知放送用受信機を提供することを目的とする。
【課題を解決するための手段】
【０００７】
上述した課題を解決し、目的を達成するために、請求項１に記載の告知放送用受信機は、告知放送信号を伝送線路を介して受信する受信手段と、前記受信手段にて受信された前記告知放送信号を、他の告知放送用受信機に無線送信する無線送信手段と、他の告知放送用受信機から無線送信された前記告知放送信号を受信する無線受信手段と、前記伝送線路の異常の有無を検出する検出手段と、前記検出手段が前記伝送線路の異常を検出した場合に、前記無線送信手段にて前記伝送線路に異常がある旨を示す信号を他の告知放送用受信機に無線送信させ、前記無線受信手段が他の告知放送用受信機から前記伝送線路に異常がある旨を示す信号を無線受信した場合に、前記受信手段にて受信された告知放送信号を、前記無線送信手段にて他の告知放送用受信機に無線送信させる制御手段とを備える。
【０００９】
また、請求項２に記載の告知放送用受信機は、請求項１に記載の告知放送用受信機において、前記制御手段は、前記受信手段が前記告知放送信号を受信した場合に、当該告知放送信号に緊急放送が含まれているか否かを判定し、含まれている場合には、当該告知放送信号を前記無線送信手段にて他の告知放送用受信機に無線送信させる。
【００１０】
また、請求項３に記載の告知放送用受信機は、請求項１に記載の告知放送用受信機において、自己が属するグループに関する信号であるか否かを一意に識別するためのグループアドレスを特定するためのグループアドレス情報を格納する記憶手段を備え、前記制御手段は、前記検出手段が前記伝送線路の異常を検出した場合に、前記無線送信手段にて前記伝送線路に異常がある旨を示す信号に前記記憶手段に格納されている前記グループアドレス情報を付加して他の告知放送用受信機に無線送信させ、前記無線受信手段が他の告知放送用受信機から前記伝送線路に異常がある旨を示す信号を無線受信した場合に、当該伝送線路に異常がある旨を示す信号が自己の属するグループに関する信号であるか否かを、当該伝送線路に異常がある旨を示す信号に付加されたグループアドレス情報と前記記憶手段に格納されている前記グループアドレス情報とに基づいて判定し、当該伝送線路に異常がある旨を示す信号が自己の属するグループに関する信号である場合には、前記受信手段にて受信された告知放送信号を、前記無線送信手段にて他の告知放送用受信機に無線送信させる。
【００１１】
また、請求項４に記載の告知放送用受信機は、請求項３に記載の告知放送用受信機において、前記制御手段は、前記無線受信手段が他の告知放送用受信機から前記告知放送信号を無線受信した場合に、当該告知放送信号が自己の属するグループに関する信号であるか否かを、当該告知放送信号に付加された前記グループアドレス情報と前記記憶手段に格納されている前記グループアドレス情報とに基づいて判定し、当該告知放送信号が自己の属するグループに関する信号である場合には、当該告知放送信号に基づいて告知放送を行う。
【発明の効果】
【００１２】
請求項１に記載の告知放送用受信機によれば、無線送信手段は受信手段にて受信された告知放送信号を他の告知放送用受信機に無線送信し、無線受信手段は他の告知放送用受信機から無線送信された告知放送信号を受信するので、告知放送用受信機間で告知放送信号の無線通信を行うことができ、伝送線路に異常がある場合であっても告知放送信号を安定して受信することができる。これにより、伝送線路に異常がある場合でも、告知放送信号を受信できるようにするために、センター装置に無線用アンテナ設備を設けたり、あるいは所定エリア毎に中継設備を設ける等の大規模な設備の増設を行う必要がない。
また、制御手段は、無線受信手段が他の告知放送用受信機から伝送線路に異常がある旨を示す信号を無線受信した場合に、受信手段にて受信された告知放送信号を、無線送信手段にて他の告知放送用受信機に無線送信させるので、伝送線路に異常がある旨の信号を受信したことをトリガとして当該告知放送信号の無線送信を開始することができ、伝送線路の異常があった後から迅速に当該告知放送信号を無線送信することが可能となる。
【００１４】
また、請求項２に記載の告知放送用受信機によれば、制御手段は、受信手段が告知放送信号を受信した場合に、当該告知放送信号に緊急放送が含まれている場合にのみ、当該告知放送信号を無線送信手段にて他の告知放送用受信機に無線送信させるので、伝送線路に異常がある場合でも、告知放送信号に基づく緊急放送を他の告知放送用受信機を介して継続して行うことができる。
【００１５】
また、請求項３に記載の告知放送用受信機によれば、制御手段は、無線受信手段が他の告知放送用受信機から伝送線路に異常がある旨を示す信号を無線受信した場合に、当該伝送線路に異常がある旨を示す信号が自己の属するグループに関する信号である場合にのみ、受信手段にて受信された告知放送信号を、無線送信手段にて他の告知放送用受信機に無線送信させるので、伝送線路に異常がある場合でも、告知放送信号に基づく自己の属するグループの告知放送を他の告知放送用受信機を介して継続して行うことができる。
【００１６】
また、請求項４に記載の告知放送用受信機によれば、制御手段は、無線受信手段が他の告知放送用受信機から告知放送信号を無線受信した場合に、当該告知放送信号が自己の属するグループに関する信号である場合にのみ、告知放送信号に基づいて告知放送を行うので、伝送線路に異常がある場合であってもユーザ等のニーズに応じた告知放送を行うことができる。
【図面の簡単な説明】
【００１７】
【図１】実施の形態１に係る告知放送システムの構成を示すブロック図である。
【図２】設置壁Ｗに固定された実施の形態１に係る告知放送用受信機を示す斜視図である。
【図３】実施の形態１に係る告知放送用受信機を示す図であり、（ａ）は正面図、（ｂ）は底面図である。
【図４】実施の形態１に係る告知放送用受信機が実行する告知放送処理のフローチャートである。
【図５】実施の形態２に係る告知放送システムの構成を示すブロック図である。
【図６】実施の形態２に係る告知放送用受信機が実行する告知放送処理のフローチャートである。
【発明を実施するための形態】
【００１８】
以下に添付図面を参照して、この発明に係る告知放送用受信機の各実施の形態を詳細に説明する。最初に、この告知放送用受信機を備えて構成された告知放送システムの全体構成を説明し、次に、告知放送用受信機の構成を説明し、告知放送用受信機が実行する告知放送処理について説明し、最後に本実施の形態に対する変形例について説明する。ただし、この実施の形態によって本発明が限定されるものではない。なお、各実施の形態に係る告知放送用受信機の設置対象や適用対象は任意であるが、以下では、住戸の屋内に設置された告知放送用受信機に適用した場合を例として説明を行う。
【００１９】
〔実施の形態１〕
まず実施の形態１について説明する。この形態は、他の告知放送用受信機に接続された伝送線路に異常がある場合において、緊急放送を含む告知放送信号を受信した場合に、当該告知放送信号を無線送信する形態である。
【００２０】
（構成）
最初に、実施の形態１に係る告知放送システムの構成を説明する。図１は告知放送システムの構成を示すブロック図である。図１に示すように、告知放送システム１は、センター側に配置されたセンター装置２、各住戸に配置された告知放送用受信機３、及びセンター装置２から送信された信号を告知放送用受信機３に送信する伝送系統９を備えて構成されている。このうち、センター装置２は告知放送信号を送信するものであり、公知のセンター装置２と同様に構成することができる。また、伝送系統９は、ヘッドエンド９０、このヘッドエンド９０から各住戸の告知放送用受信機３に至る伝送線路９１、さらに、この伝送線路９１に配置された、アンプ９２、分配増幅器９３、分配器９４、及び保安器９５を備えて構成されている。ヘッドエンド９０は、センター装置２から送信された信号を受信し、この信号をレベル増幅した上で伝送線路９１に送出する増幅送信手段である。伝送線路９１は、告知放送信号を送信する送信線路であり、例えば、ＣＡＴＶ信号を伝送するＣＡＴＶ伝送線路（同軸ケーブル）を備えて構成される。アンプ９２は、伝送線路９１を流れる信号を増幅する増幅手段である。分配増幅器９３は、信号を増幅した上で、各住戸に向けて分配する分配増幅手段である。分配器９４は、分配増幅器９３にて増幅された信号を各住戸に向けて分配する分配手段である。保安器９５は、各住戸に設けられ、伝送線路９１に乗って告知放送用受信機３に至る直流成分を制御する。なお、特記する構成を除き、センター装置２、告知放送用受信機３、及び伝送系統９は、公知の装置又はシステムと同様に構成することができる。
【００２１】
（構成−告知放送用受信機）
次に、告知放送用受信機３の電気的構成について説明する。図１に示したように、告知放送用受信機３は、通信部３０、操作部３２、音声切換え部３３、音量調整部３４、アンプ３５、スピーカ３６、表示部３７、制御部３８、音声情報格納部３９、及び記憶部４０を備えている。
【００２２】
通信部３０は、センター装置２から伝送線路９１を介して受信した告知放送信号、及び後述するアンテナ５１を介して受信した告知放送信号を復調する受信手段であり、告知放送信号に含まれる音声情報を音声切換え部３３に出力すると共に、告知放送信号に含まれる制御情報（例えば告知放送が緊急放送又は一般放送の何れかを特定する情報等）を制御部３８に出力する。また、通信部３０は、後述するアンテナ５１を介してラジオ放送信号を受信し、当該ラジオ放送信号に含まれる音声情報を音声切換え部３３に出力する。
この通信部３０は、検出部３１を備えている。検出部３１は、伝送線路９１の異常の有無を検出する検出手段である。この検出部３１の具体的な検出内容については、例えばセンター装置２から伝送線路９１を介して常時送られる告知放送の搬送波の有無を検出することにより、伝送線路９１の異常の有無を検出する。ここで、「伝送線路の異常」とは、伝送線路９１を介して告知放送信号を受信できないことを意味するものであり、例えば自己又は他の告知放送用受信機３と接続されている伝送線路９１が断線していること、あるいは自己又は他の告知放送用受信機３と伝送線路９１が接続されていないこと等が該当する。
【００２３】
操作部３２は、告知放送用受信機３に関する所定操作を行う操作手段である。音声切換え部３３は、通信部３０から出力された音声情報を音量調整部３４又は音声情報格納部３９に出力し、あるいは、音声情報格納部３９から出力された音声情報を音量調整部３４に出力する音声切換え手段である。音量調整部３４は、音声切換え部３３から出力された音声情報の音量を調整してアンプ３５に出力する。この音声情報は、アンプ３５にて増幅された後、スピーカ３６から出力される。このスピーカ３６は、音声を出力する出力手段である。表示部３７は、告知放送用受信機３に関する情報を表示する表示手段である。
【００２４】
制御部３８は、告知放送用受信機３の各部を制御する制御手段であり、具体的には、ＣＰＵ（例えばマイコン）、当該ＣＰＵ上で解釈実行される各種のプログラム（ＯＳなどの基本制御プログラムや、ＯＳ上で起動され特定機能を実現するアプリケーションプログラムを含む）、及びプログラムや各種の制御データを格納するためのＲＡＭの如き内部メモリを備えて構成されるコンピュータである。この制御部３８によって実行される処理の詳細については後述する。
【００２５】
音声情報格納部３９は、通信部３０が受信した告知放送信号に含まれる音声情報を格納する音声情報格納手段である。この音声情報格納手段に格納される音声情報には、例えば当該音声情報を含む告知放送信号を通信部３０が受信した日時を特定する受信日時情報や、音声情報格納手段に格納された後に当該音声情報が再生されたか否かを特定する再生情報が、例えばヘッダ情報として付加される。記憶部４０は、告知放送用受信機３の各種制御に必要な情報を記録する記憶手段である。これら音声情報格納部３９及び記憶部４０の具体的構成は任意であるが、情報を書換え可能な記録媒体を用いて構成され、例えば、フラッシュメモリ等の不揮発性記録媒体を用いることができる。
【００２６】
続いて、告知放送用受信機３の基本構成について説明する。図２は設置壁Ｗに固定された告知放送用受信機３を示す斜視図である。図３は、告知放送用受信機３を示す図であり、（ａ）は正面図、（ｂ）は底面図である。これら図２及び図３（ａ）、（ｂ）に示すように、告知放送用受信機３は、筐体４１の内部に図示しない各種の電子部品等を収容して構成されている。この筐体４１は、正面カバー４１ａと背面カバー４１ｂとを組み合わされて構成されている。正面カバー４１ａと背面カバー４１ｂの接続方法は任意であるが、例えば、正面カバー４１ａと背面カバー４１ｂは嵌合やネジ留めにて接続することができる。
【００２７】
図３（ａ）に示すように、この筐体４１の正面には、操作部３２及び表示部３７が設けられている。操作部３２としては、具体的には、音声情報格納部３９に格納された音声情報の出力に関する操作入力を受け付ける告知再生スイッチ３２ａと、ラジオ放送信号に含まれる音声情報の出力に関する操作入力を受け付けるラジオ再生スイッチ３２ｂと、放送音量を調節するボリュームスイッチ３４ａが設けられている。また、表示部３７としては、具体的には、告知放送用受信機３の電源ＯＮ時に点灯する電源表示灯３７ａと、緊急放送時に点灯又は点滅する緊急放送表示灯３７ｂと、一般放送時に点灯又は点滅する一般放送表示灯３７ｃと、自己又は他の告知放送用受信機３と接続されている伝送線路９１に異常がある場合に点灯又は点滅する伝送線路表示灯３７ｄと、制御部３８の制御に基づき点灯又は点滅する図示しない告知再生表示灯及びラジオ再生表示灯が設けられている。これら各種表示灯は、例えばＬＥＤ（Ｌｉｇｈｔ Ｅｍｉｔｔｉｎｇ Ｄｉｏｄｅ）を用いて構成される。
また、筐体４１の正面には、筐体４１の内部に設けたスピーカ３６から出力された音を、当該筐体４１の外部に放出するための音響孔４２が設けられている。
【００２８】
また、図３（ａ）、（ｂ）に示すように、筐体４１の左側面には、アンテナ５１が設けられている。アンテナ５１は、他の告知放送用受信機３から無線送信された告知放送信号やＦＭラジオ等の電波を受信する無線受信手段であり、またセンター装置２から受信した告知放送信号を無線送信する無線送信手段でもある。従って、告知放送がセンター装置２から受信できない状況であっても、アンテナ５１にて告知放送信号やＦＭラジオ等を受信することができる。
【００２９】
（処理）
次に、このように構成された実施の形態１に係る告知放送用受信機３が実行する告知放送処理について説明する。図４は、実施の形態１に係る告知放送用受信機３が実行する告知放送処理のフローチャートである。なお、以下の説明では、「ステップ」を「Ｓ」と略記する。この音声処理の実行タイミングは任意で、例えば告知放送処理は告知放送用受信機３の電源が投入された場合に実行される（実施の形態２の告知放送処理についても同様）。
【００３０】
図４に示すように、まず、制御部３８は伝送線路９１に異常があるか否かを判定する（ＳＡ１）。この伝送線路９１に異常があるか否かの具体的な判定内容については、例えば制御部３８は、検出部３１がセンター装置２から伝送線路９１を介して常時送られる告知放送の搬送波を検出できるか否かを判定する。より具体的には、制御部３８は、検出部３１が搬送波を検出できる場合に伝送線路９１に異常がないと判定し、検出部３１が搬送波を検出できない場合に伝送線路９１に異常があると判定する。
【００３１】
ここで、伝送線路９１に異常がない場合（ＳＡ１、Ｎｏ）、制御部３８は通信部３０が何らかの信号を受信しているか否かを監視する（ＳＡ２）。ここで、通信部３０が何らかの信号を受信できなかった場合（ＳＡ２、Ｎｏ）、制御部３８はＳＡ１に移行する。
【００３２】
一方、通信部３０が何らかの信号を受信した場合（ＳＡ２、Ｙｅｓ）、制御部３８は通信部３０が後述する伝送線路９１に異常がある旨を示す信号をアンテナ５１を介して受信したか否かを判定する（ＳＡ３）。ここで、通信部３０が後述する伝送線路９１に異常がある旨を示す信号をアンテナ５１を介して受信した場合（ＳＡ３、Ｙｅｓ）、制御部３８は、当該信号を記憶部４０に記憶し（ＳＡ４）、伝送線路表示灯３７ｄを点滅させる（ＳＡ５）。これにより、他の告知放送用受信機３に接続された伝送線路９１に異常があることをユーザに知らせることができるので、例えば告知放送用受信機３の電源をＯＦＦにすること等により、告知放送信号の無線送信を阻害しないように、ユーザに注意喚起することができる。また、制御部３８は通信部３０にて確認信号をアンテナ５１を介して送信させる（ＳＡ６）。これにより、後述する伝送線路９１に異常がある旨を示す信号が受信できたことを、当該信号を送信した告知放送用受信機３に知らせることができる。
【００３３】
次に、通信部３０が後述する伝送線路９１に異常がある旨を示す信号をアンテナ５１を介して受信しなかった場合（ＳＡ３、Ｎｏ）、又はＳＡ６にて通信部３０が確認信号をアンテナ５１を介して送信した場合、制御部３８は通信部３０が告知放送信号を伝送線路９１を介して受信したか否かを判定する（ＳＡ７）。ここで、通信部３０が告知放送信号を伝送線路９１を介して受信しなかった場合（ＳＡ７、Ｎｏ）、制御部３８はＳＡ１に移行する。
【００３４】
一方、通信部３０が告知放送信号を伝送線路９１を介して受信した場合（ＳＡ７、Ｙｅｓ）、制御部３８は当該告知放送信号に基づく告知放送をスピーカ３６にて音声出力させる（ＳＡ８）。
【００３５】
また、ＳＡ８の処理後、制御部３８はＳＡ７にて受信した告知放送信号に含まれる放送コマンドを解析することによって、当該告知放送信号に緊急放送が含まれているか否かを判定する（ＳＡ９）。ここで、告知放送信号に緊急放送が含まれていない場合（ＳＡ９、Ｎｏ）、制御部３８はＳＡ１に移行する。
【００３６】
一方、告知放送信号に緊急放送が含まれている場合（ＳＡ９、Ｙｅｓ）、制御部３８は、ＳＡ４にて後述する伝送線路９１に異常がある旨を示す信号が記憶部４０に記憶されているか否かを判定する（ＳＡ１０）。ここで、後述する伝送線路９１に異常がある旨を示す信号が記憶部４０に記憶されていない場合（ＳＡ１０、Ｎｏ）、制御部３８はＳＡ１に移行する。
【００３７】
一方、後述する伝送線路９１に異常がある旨を示す信号が記憶部４０に記憶されている場合（ＳＡ１０、Ｙｅｓ）、制御部３８は、ＳＡ７にて受信した告知放送信号をアンテナ５１を介して通信部３０にて送信させる（ＳＡ１１）。これにより、通信部３０が伝送線路９１に異常がある旨を示す信号を受信したことをトリガとして告知放送信号をアンテナ５１を介して送信することができ、当該伝送線路９１の異常があった後から迅速に当該告知放送信号を無線送信することが可能となる。また、告知放送信号に緊急放送が含まれている場合にのみ、通信部３０が当該告知放送信号をアンテナ５１を介して他の告知放送用受信機３に送信するので、伝送線路９１に異常がある場合でも、この告知放送信号に基づく緊急放送を他の告知放送用受信機３を介して継続して行うことができる。
【００３８】
また、ＳＡ１の処理において、伝送線路９１に異常がある場合（ＳＡ１、Ｙｅｓ）、制御部３８は伝送線路表示灯３７ｄを点灯させる（ＳＡ１２）。これにより、伝送線路９１に異常があることをユーザに提示することができ、当該伝送線路９１に対して何らかの措置を講じるように注意喚起することができる。さらに、制御部３８は伝送線路９１に異常がある旨を示す信号をアンテナ５１を介して通信部３０にて送信させる（ＳＡ１３）。これにより、伝送線路９１に異常がある旨を示す信号を受信した他の告知放送用受信機３に対して、当該他の告知放送用受信機３の通信部３０が伝送線路９１を介して告知放送信号を受信した場合に、当該告知放送信号を無線送信するように指示することができる。
【００３９】
また、ＳＡ１３の処理後、制御部３８は、通信部３０が確認信号をアンテナ５１を介して受信したか否かを監視する（ＳＡ１４）。ここで、通信部３０が確認信号を受信できない場合（ＳＡ１４、Ｎｏ）、制御部３８は、所定時間（例えば１分間）経過するまで制御部３８はＳＡ１４の処理を繰り返す（ＳＡ１４、ＳＡ１５、Ｎｏ）。また、所定時間が経過後しても通信部３０が確認信号を受信できない場合（ＳＡ１５、Ｙｅｓ）、制御部３８はＳＡ１３に移行する。これらの処理により、他の告知放送用受信機３から告知放送信号が無線受信できない場合には、伝送線路９１に異常がある旨を示す信号を繰り返し送信するので、他の告知放送用受信機３から告知放送信号を無線受信する確実性を向上させることができる。
【００４０】
一方、通信部３０が確認信号を受信した場合（ＳＡ１４、Ｙｅｓ）、制御部３８は通信部３０が告知放送信号をアンテナ５１を介して受信したか否かを監視する（ＳＡ１６）。その結果、通信部３０が告知放送信号をアンテナ５１を介して受信した場合（ＳＡ１６、Ｙｅｓ）、制御部３８は当該告知放送信号に基づく緊急放送をスピーカ３６にて音声出力させる（ＳＡ１７）。これにより、伝送線路９１に異常がある場合でも、他の告知放送用受信機３から告知放送信号を安定して無線受信することができる。そして、ＳＡ１７の緊急放送終了後、制御部３８はＳＡ１に移行する。
【００４１】
（効果）
このように実施の形態１によれば、通信部３０は伝送線路９１を介して受信された告知放送信号を、他の告知放送用受信機３にアンテナ５１を介して送信し、他の告知放送用受信機３から無線送信された告知放送信号をアンテナ５１を介して受信するので、告知放送用受信機３間で告知放送信号の無線通信を行うことができ、伝送線路９１に異常がある場合であっても告知放送信号を安定して受信することができる。これにより、伝送線路９１に異常がある場合でも、告知放送信号を受信できるようにするために、センター装置２に無線用アンテナ設備を設けたり、あるいは所定エリア毎に中継設備を設ける等の大規模な設備の増設を行う必要がない。
【００４２】
また、制御部３８は、通信部３０が他の告知放送用受信機３から伝送線路９１に異常がある旨を示す信号をアンテナ５１を介して受信した場合に、伝送線路９１を介して受信された告知放送信号を、他の告知放送用受信機３にアンテナ５１を介して送信させるので、伝送線路９１に異常がある旨の信号を受信したことをトリガとして当該告知放送信号の無線送信を開始することができ、当該伝送線路９１の異常があった後から迅速に当該告知放送信号を無線送信することが可能となる。
【００４３】
また、制御部３８は、通信部３０が伝送線路９１を介して告知放送信号を受信した場合に、当該告知放送信号に緊急放送が含まれている場合にのみ、当該通信部３０にて当該告知放送信号をアンテナ５１を介して他の告知放送用受信機３に送信させるので、伝送線路９１に異常がある場合でも、告知放送信号に基づく緊急放送を他の告知放送用受信機３を介して継続して行うことができる。
【００４４】
〔実施の形態２〕
次に、実施の形態２について説明する。この形態は、自己が属するグループと同じグループに属する他の告知放送用受信機３に接続された伝送線路９１に異常がある場合において、自己が属するグループに関する告知放送信号を受信した場合に、当該告知放送信号を無線送信する形態である。なお、実施の形態２の構成は特記する場合を除いて実施の形態１の構成と略同一であり、実施の形態１の構成と略同一の構成についてはこの実施の形態１で用いたものと同一の符号及び／又は名称を必要に応じて付して、その説明を省略する。
【００４５】
（構成）
最初に、実施の形態２に係る告知放送システム１の基本構成を説明する。図５は実施の形態２に係る告知放送システム１の構成を示すブロック図である。この図５に示すように、告知放送システム１は、センター側に配置されたセンター装置２、各住戸に配置された告知放送用受信機３、及び、センター装置２から送信された信号を告知放送用受信機３に送信する伝送系統９を備えて構成されている。ここで、告知放送用受信機３は、基本的には実施の形態１と同様に構成されているが、実施の形態１とは異なる記憶部４０を備えて構成されている。
【００４６】
（構成−告知放送用受信機）
この告知放送用受信機３の記憶部４０について説明する。記憶部４０は、実施の形態１と同様に、告知放送用受信機３の各種制御に必要な情報を記録する記憶手段であり、特に自己が属するグループに関する信号であるか否かを一意に識別するためのグループアドレスを特定するためのグループアドレス情報を格納するグループアドレス情報格納手段である。
【００４７】
（処理）
次に、このように構成された実施の形態２に係る告知放送用受信機３が実行する告知放送処理について説明する。図６は、実施の形態２に係る告知放送用受信機３が実行する告知放送処理のフローチャートである。ただし、この告知放送処理におけるＳＢ１−ＳＢ３、ＳＢ５−ＳＢ８、ＳＢ１０−ＳＢ１３、ＳＢ１５−ＳＢ１７は、図４に示した実施の形態１の処理のＳＡ１−ＳＡ８、ＳＡ１０−ＳＡ１２、ＳＡ１４−ＳＡ１６と同じであるため、その説明を省略する。
【００４８】
図６に示すように、ＳＢ３の処理において、通信部３０が伝送線路９１に異常がある旨を示す信号をアンテナ５１を介して受信した場合（ＳＢ３、Ｙｅｓ）、制御部３８は、当該伝送線路９１に異常がある旨を示す信号が自己の属するグループに関する信号であるか否かを、当該伝送線路９１に異常がある旨を示す信号に後述するＳＢ１４の処理にて付加されたグループアドレス情報と記憶部４０に格納されているグループアドレス情報とに基づいて判定する（ＳＢ４）。ここで、伝送線路９１に異常がある旨を示す信号が自己の属するグループに関する信号でない場合（ＳＢ４、Ｎｏ）、制御部３８はＳＢ８に移行する。
【００４９】
一方、伝送線路９１に異常がある旨を示す信号が自己の属するグループに関する信号である場合（ＳＢ４、Ｙｅｓ）、制御部３８はＳＢ５に移行する。これにより、ＳＢ６の処理にて、自己が属するグループと同じグループに属する他の告知放送用受信機３に接続された伝送線路９１に異常があることをユーザに知らせることができるので、例えば告知放送用受信機３の電源をＯＦＦにすること等により、告知放送信号の無線送信を阻害しないように、ユーザに注意喚起することができる。
【００５０】
また、ＳＢ８の処理において、通信部３０が告知放送信号を伝送線路９１を介して受信した場合（ＳＢ８、Ｙｅｓ）、制御部３８は、当該告知放送信号が自己の属するグループに関する信号であるか否かを、センター装置２にて当該告知放送信号にあらかじめ付加されたグループアドレス情報と記憶部４０に格納されているグループアドレス情報とに基づいて判定する（ＳＢ９）。ここで、告知放送信号が自己の属するグループに関する信号でない場合（ＳＢ９、Ｎｏ）、制御部３８はＳＢ１に移行する。
【００５１】
一方、告知放送信号が自己の属するグループに関する信号である場合（ＳＢ９、Ｙｅｓ）、制御部３８はＳＢ１０に移行する。これにより、ＳＢ１０の処理にて、通信部３０が自己のグループに関する告知放送信号を受信した場合にのみ、当該告知放送信号に基づく告知放送を行うことができる。また、ＳＢ１２の処理にて、自己の属するグループと同じグループに属する他の告知放送用受信機３から異常がある旨を示す信号を受信したことをトリガとして自己のグループに関する告知放送信号の無線送信を開始することができるので、当該伝送線路９１の異常があった後から迅速に当該告知放送信号を無線送信することが可能となる。また、伝送線路９１に異常がある旨を示す信号が自己の属するグループに関する信号である場合にのみ、通信部３０が自己の属するグループに関する告知放送信号をアンテナ５１を介して他の告知放送用受信機３に無線送信するので、伝送線路９１に異常がある場合でも、この告知放送信号に基づく自己の属するグループの告知放送を他の告知放送用受信機３を介して継続して行うことができる。
【００５２】
また、ＳＢ１４の処理において、制御部３８は、伝送線路９１に異常がある旨を示す信号に記憶部４０に記憶された自己のグループ情報を付加したものをアンテナ５１を介して通信部３０にて送信させる（ＳＢ１４）。
【００５３】
また、ＳＢ１７の処理において、通信部３０が告知放送信号をアンテナ５１を介して受信した場合（ＳＢ１７、Ｙｅｓ）、制御部３８は当該告知放送信号が自己の属するグループに関する信号であるか否かを、センター装置２にて当該告知放送信号にあらかじめ付加されたグループアドレス情報と記憶部４０に格納されているグループアドレス情報とに基づいて判定する（ＳＢ１８）。ここで、告知放送信号が自己の属するグループに関する信号でない場合（ＳＢ１８、Ｎｏ）、制御部３８はＳＢ１７に移行する。
【００５４】
一方、告知放送信号が自己の属するグループに関する信号である場合（ＳＢ１８、Ｙｅｓ）、制御部３８はＳＢ１９に移行する。これにより、ＳＢ１９の処理にて、通信部３０が自己の属するグループに関する告知放送信号をアンテナ５１を介して受信した場合に、当該告知放送信号が自己の属するグループに関する信号である場合にのみ、当該告知放送信号に基づく告知放送を行うので、伝送線路９１に異常がある場合であってもユーザ等のニーズに応じた告知放送を行うことができる。
【００５５】
（効果）
このように実施の形態２によれば、制御部３８は、通信部３０が他の告知放送用受信機３から伝送線路９１に異常がある旨を示す信号をアンテナ５１を介して受信した場合に、当該伝送線路９１に異常がある旨を示す信号が自己の属するグループに関する信号である場合にのみ、当該通信部３０にて伝送線路９１を介して受信された告知放送信号をアンテナ５１を介して他の告知放送用受信機３に送信させるので、伝送線路９１に異常がある場合でも、告知放送信号に基づく自己の属するグループの告知放送を他の告知放送用受信機３を介して継続して行うことができる。
【００５６】
また、制御部３８は、通信部３０が他の告知放送用受信機３から告知放送信号をアンテナ５１を介して受信した場合に、当該告知放送信号が自己の属するグループに関する信号である場合にのみ、当該告知放送信号に基づく告知放送を行うので、伝送線路９１に異常がある場合であってもユーザ等のニーズに応じた告知放送を行うことができる。
【００５７】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００５９】
（分散や統合について）
上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。
【００６０】
（告知放送処理について）
上述した各実施の形態では、伝送線路９１に異常がない告知放送用受信機３が伝送線路９１に異常がある告知放送用受信機３に告知放送信号を無線送信すると説明したが、上述した各実施の形態の処理に限定されない。例えば、伝送線路９１に異常がある告知放送用受信機３が、伝送線路９１に異常がない告知放送用受信機３から告知放送信号を無線受信し、さらに伝送線路９１に異常がある他の告知放送用受信機３に当該無線受信した告知放送信号を無線送信してもよい。これにより、一層広い地域において、告知放送用受信機３同士による告知放送信号の無線通信が可能となる。
【００６１】
また、上述した各実施の形態では、他の告知放送用受信機３と接続されている伝送線路９１に異常がある場合には伝送線路表示灯３７ｄを点滅させ、自己の告知放送用受信機３と接続されている伝送線路９１に異常がある場合には伝送線路表示灯３７ｄを点灯させると説明したが、これら点灯と点滅とは逆であってもよい。
また、自己又は他の告知放送用受信機３と接続されている伝送線路９１に異常がある場合に伝送線路表示灯３７ｄを点灯又は点滅させると説明したが、例えば、当該伝送線路９１に異常がある場合に、緊急放送表示灯３７ｂ、一般放送表示灯３７ｃ、図示しない告知再生表示灯、又は図示しないラジオ再生表示灯を点灯又は点滅させたり、あるいはスピーカ３６にて音声を出力させてもよい。
具体的には、実施の形態１においては、緊急放送表示灯３７ｂ、一般放送表示灯３７ｃ、図示しない告知再生表示灯、又は図示しないラジオ再生表示灯を用いる場合に、ＳＡ５の処理において（他の告知放送用受信機３と接続されている伝送線路９１に異常がある場合）、制御部３８は、緊急放送表示灯３７ｂ及び一般放送表示灯３７ｃを同時に点滅させる。また、ＳＡ１２の処理において（自己の告知放送用受信機３と接続されている伝送線路９１に異常がある場合）、制御部３８は、図示しない告知再生表示灯及びラジオ再生表示灯を同時に点滅させる。
あるいは、スピーカ３６を用いる場合に、ＳＡ５の処理において、制御部３８は、スピーカ３６にて「ウーウー  他の受信機の伝送線路に異常があります」といった音声メッセージを繰返し出力させる。また、ＳＡ１２の処理において、制御部３８は、スピーカ３６にて「ウーウー  自己の受信機の伝送線路に異常があります」といった音声メッセージを繰返し出力させる。
【００６２】
また、上述した各実施の形態では、異常があった伝送線路９１が復旧した場合の処理については任意であり、例えば、実施の形態１においては、ＳＡ１３−ＳＡ１７の処理中に異常があった伝送線路９１が復旧した場合、制御部３８はＳＡ１に移行してもよい。
この場合において、復旧した伝送線路９１に接続された告知放送用受信機３は、伝送線路９１が復旧したことを示す復旧信号をアンテナ５１を介して通信部３０にて送信し、異常がなかった告知放送用受信機３は、当該復旧信号を受信することにより、告知放送信号の無線送信を中止してもよい。
具体的には、実施の形態１においては、ＳＡ１の処理において、伝送線路９１に異常がなかった場合であって（ＳＡ１、Ｎｏ）、さらに記憶部４０に記憶された処理履歴の中で直近のＳＡ１の処理にて伝送線路９１に異常があった場合に、制御部３８は復旧信号をアンテナ５１を介して通信部３０にて送信させる。また、ＳＡ３の処理において、制御部３８は通信部３０が伝送線路９１に異常がある旨を示す信号又は復旧信号をアンテナ５１を介して受信したか否かを判定し、通信部３０が復旧信号をアンテナ５１を介して受信した場合（ＳＡ３、Ｙｅｓ）、当該復旧信号を記憶部４０に記憶し、伝送線路表示灯３７ｄを消灯させる。さらに、ＳＡ１０の処理において、制御部３８は、伝送線路９１に異常がある旨を示す信号が記憶部４０に記憶されていないと判定する。以上のような処理により、伝送線路９１に異常があった告知放送用受信機３から復旧信号を受信したことをトリガとして、告知放送信号の無線送信を中止でき、告知放送用受信機３の消費電力を低減することができる。
ただし、ＳＡ１０の処理において、複数の告知放送用受信機３から受信した異常がある旨を示す信号と、当該複数の告知放送用受信機３から受信した復旧信号と、当該異常がある旨を示す信号及び当該復旧信号に付加されたアドレスであって（アドレスの具体的な付加については、例えば、告知放送用受信機３が、異常がある旨を示す信号又は復旧信号を無線送信する際に、これら信号に記憶部４０に記憶されたアドレスを付加する等）、各告知放送用受信機３を一意に識別するアドレスとが相互に関連付けて記憶部４０に記憶される場合に、複数の告知放送用受信機３の一部のアドレスと異常がある旨の信号とが関連付けて記憶されているものの、当該アドレスと復旧信号とが関連付けて記憶されていない場合には、制御部３８は、伝送線路９１に異常がある旨を示す信号が記憶部４０に記憶されていると判定し、告知放送信号の無線送信を継続させてもよい。
【符号の説明】
【００６３】
１  告知放送システム
２  センター装置
３  告知放送用受信機
９  伝送系統
３０  通信部
３１  検出部
３２  操作部
３２ａ  告知再生スイッチ
３２ｂ  ラジオ再生スイッチ
３３  音声切換え部
３４  音量調整部
３４ａ  ボリュームスイッチ
３５、９２  アンプ
３６  スピーカ
３７  表示部
３７ａ  電源表示灯
３７ｂ  緊急放送表示灯
３７ｃ  一般放送表示灯
３７ｄ  伝送線路表示灯
３８  制御部
３９  音声情報格納部
４０  記憶部
４１  筐体
４１ａ  正面カバー
４１ｂ  背面カバー
４２  音響孔
５１  アンテナ
９０  ヘッドエンド
９１  伝送線路
９３  分配増幅器
９４  分配器
９５  保安器
【図１】
0005851180.tif 000002
【図２】
0005851180.tif 000003
【図３】
0005851180.tif 000004
【図４】
0005851180.tif 000005
【図５】
0005851180.tif 000006
【図６】
0005851180.tif 000007